(57)【特許請求の範囲】
【請求項１】
新品市場、中古市場、および、オークション市場に出品されている商品を管理するデータベース群から、同一商品の出品情報を横断検索する検索部、
前記検索された出品情報の中から、各市場における最安値の出品情報をそれぞれ選択する選択部、
前記選択された出品情報を、商品を識別するための識別コードと対応付けて記憶する記憶部、
商品を指定して要求されたカタログページの閲覧要求を、端末から受け付ける受付部、
前記指定された商品について、各市場における最安値の出品情報を前記記憶部から読み出す読出部、
前記読み出された出品情報に従って、前記指定された商品における最安値の市場を判別する判別部、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成部、
前記生成された前記カタログページを前記端末に提供する提供部、
を備えることを特徴とする販売支援サーバ。
【請求項２】
請求項１に記載の販売支援サーバであって、
各市場にて、販売成立、出品中止、および、新規出品を含むトリガ要件の発生に伴い、前記データベース群における出品情報の更新を検出する検出部を更に備え、
前記検索部は、前記検出部によって出品情報の更新が検出されると、更新が検出された当該出品情報と同一商品の出品情報を、前記データベース群から再検索する、
ことを特徴とする販売支援サーバ。
【請求項３】
請求項１に記載の販売支援サーバであって、
前記選択部は、前記検索部により同一市場において最安値の出品情報が複数検索された場合に、当該複数の出品情報の中から所定の選択手法で１つの出品情報を選択する、
ことを特徴とする販売支援サーバ。
【請求項４】
請求項３に記載の販売支援サーバであって、
前記選択部は、前記検索された複数の出品情報の中から１つの出品情報を選択した後に、当該出品情報に示される商品、および、再検索を行うための予約時刻を含む予約情報を設定し、
前記検索部は、前記予約情報に含まれる予約時刻が到来すると、前記予約情報に含まれる商品の出品情報を、前記データベース群から再検索する、
ことを特徴とする販売支援サーバ。
【請求項５】
請求項１に記載の販売支援サーバであって、
前記生成部が生成するカタログページは、新品市場の前記最安値詳細情報と中古市場およびオークション市場の前記最安値簡易情報とを含む第１のページと、各市場の前記最安値詳細情報を含む第２のページとを、タブ操作に応じて切り替え可能であり、
前記生成部は、
(c)前記判別部に判別された市場が新品市場である場合に、前記第１のページを初期状態としたカタログページを生成し、
(d)前記判別部に判別された市場が新品市場でない場合に、前記第２のページを初期状態としたカタログページを生成する、
ことを特徴とする販売支援サーバ。
【請求項６】
販売支援サーバが実行するカタログページ提供方法であって、
前記販売支援サーバが、新品市場、中古市場、および、オークション市場に出品されている商品を管理するデータベース群から、同一商品の出品情報を横断検索する検索ステップ、
前記販売支援サーバが、前記検索された出品情報の中から、各市場における最安値の出品情報をそれぞれ選択する選択ステップ、
前記販売支援サーバが、前記選択された出品情報を、商品を識別するための識別コードと対応付けて所定の記憶部に登録する登録ステップ、
前記販売支援サーバが、商品を指定して要求されたカタログページの閲覧要求を、端末から受け付ける受付ステップ、
前記販売支援サーバが、前記指定された商品について、各市場における最安値の出品情報を前記記憶部から読み出す読出ステップ、
前記販売支援サーバが、前記読み出された出品情報に従って、前記指定された商品における最安値の市場を判別する判別ステップ、
前記販売支援サーバが、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成ステップ、
前記販売支援サーバが、前記生成された前記カタログページを前記端末に提供する提供ステップ、
を備えることを特徴とするカタログページ提供方法。
【請求項７】
コンピュータを、
新品市場、中古市場、および、オークション市場に出品されている商品を管理するデータベース群から、同一商品の出品情報を横断検索する検索部、
前記検索された出品情報の中から、各市場における最安値の出品情報をそれぞれ選択する選択部、
前記選択された出品情報を、商品を識別するための識別コードと対応付けて記憶する記憶部、
商品を指定して要求されたカタログページの閲覧要求を、端末から受け付ける受付部、
前記指定された商品について、各市場における最安値の出品情報を前記記憶部から読み出す読出部、
前記読み出された出品情報に従って、前記指定された商品における最安値の市場を判別する判別部、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成部、
前記生成された前記カタログページを前記端末に提供する提供部、
として機能させることを特徴とするプログラムを記録したコンピュータ読み取り可能な記録媒体。
【請求項８】
コンピュータを、
新品市場、中古市場、および、オークション市場に出品されている商品を管理するデータベース群から、同一商品の出品情報を横断検索する検索部、
前記検索された出品情報の中から、各市場における最安値の出品情報をそれぞれ選択する選択部、
前記選択された出品情報を、商品を識別するための識別コードと対応付けて記憶する記憶部、
商品を指定して要求されたカタログページの閲覧要求を、端末から受け付ける受付部、
前記指定された商品について、各市場における最安値の出品情報を前記記憶部から読み出す読出部、
前記読み出された出品情報に従って、前記指定された商品における最安値の市場を判別する判別部、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成部、
前記生成された前記カタログページを前記端末に提供する提供部、
として機能させることを特徴とするプログラム。
【発明の詳細な説明】
【技術分野】
【０００１】
本発明は、販売支援サーバ、カタログページ提供方法、記録媒体、および、プログラムに関する。
【背景技術】
【０００２】
近年、インターネット上において、電子商取引を行う販売サイトが人気を博している。例えば、多くの店舗（仮想店舗）が集まって構成される販売サイト（ショッピングモールサイト等）では、全体で幅広いカテゴリ（ジャンル）の商品を取り扱っているだけでなく、店舗同士の価格競争も行われていることもあり、多くのユーザを獲得している。
このような販売サイトでは、各商品（各店舗の商品）を、階層的なカテゴリに分類して管理しており、アクセスしてきたユーザ端末に、商品の一覧を表示する。この他にも、販売サイトは、ユーザが入力した検索条件（キーワード等）から得られた商品を所定の順番（例えば、人気順や価格順）に一覧表示することも可能となっている。【０００３】
最近では、このような販売サイトを利用するユーザを支援するための販売支援システム（販売支援サイト等）も知られている。販売支援システムの先行技術として、例えば、特許文献１には、各国の販売サイトから同一商品を検索し、安価に販売する販売サイトの情報をユーザに提示する販売サイト検索・発注システムが開示されている。
【先行技術文献】
【特許文献】
【０００４】
【特許文献１】特開２００３−２２３５８３号公報
【発明の概要】
【発明が解決しようとする課題】
【０００５】
上述した特許文献１に開示されている販売支援システム（販売サイト検索・発注システム）では、検索サイトホームページ（Ｗｅｂサーバ）を利用するユーザによって、購入する商品および検索地域が選択され、検索が指示されると、販売サイト検索システムが動作して、選択された検索地域内の各販売サイトに対して、対象商品の検索を行う。
検索結果が得られると、商品価格検索システムが作動し、各販売サイトから検索された商品の販売価格に、為替情報、流通コスト、及び、保険料等を加味して、検索実施時点における商品の総価格をそれぞれ算出する。そして、商品価格検索システムは、算出された商品の各総価格について価格比較を行い、最低価格を提供する商品販売サイトの情報をユーザ（ユーザ端末等）に提示する。
このように、特許文献１の販売支援システムでは、検索時点における商品の最低価格の販売サイトをユーザに提示することができる。【０００６】
しかしながら、特許文献１の販売支援システムでは、ユーザによって検索が指示された際に、各販売サイトに対して、対象商品の検索を行う構成であるため、最低価格の販売サイトを提示するまでに、ある程度の長時間を要していた。
このため、複数の販売サイト（例えば、新品市場、中古市場、及び、オークション市場などの各出品ページ）から、同一商品の最安値情報を迅速に得ることのできる技術が求められていた。【０００７】
本発明は、上記実状に鑑みてなされたもので、異なる市場の各出品ページから、同一商品の最安値情報を迅速に得ることのできる販売支援サーバ、カタログページ提供方法、記録媒体、および、プログラムを提供することを目的とする。
【課題を解決するための手段】
【０００８】
上記目的を達成するために、本発明の第１の観点に係る販売支援サーバは、
新品市場、中古市場、および、オークション市場に出品されている商品を管理するデータベース群から、同一商品の出品情報を横断検索する検索部、
前記検索された出品情報の中から、各市場における最安値の出品情報をそれぞれ選択する選択部、
前記選択された出品情報を、商品を識別するための識別コードと対応付けて記憶する記憶部、
商品を指定して要求されたカタログページの閲覧要求を、端末から受け付ける受付部、
前記指定された商品について、各市場における最安値の出品情報を前記記憶部から読み出す読出部、
前記読み出された出品情報に従って、前記指定された商品における最安値の市場を判別する判別部、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成部、
前記生成された前記カタログページを前記端末に提供する提供部、
を備えることを特徴とする。【０００９】
また、上記観点に係る販売支援サーバにおいて、
各市場にて、販売成立、出品中止、および、新規出品を含むトリガ要件の発生に伴い、前記データベース群における出品情報の更新を検出する検出部を更に備え、
前記検索部は、前記検出部によって出品情報の更新が検出されると、更新が検出された当該出品情報と同一商品の出品情報を、前記データベース群から再検索する、
ことを特徴とする。【００１０】
また、上記観点に係る販売支援サーバにおいて、
前記選択部は、前記検索部により同一市場において最安値の出品情報が複数検索された場合に、当該複数の出品情報の中から所定の選択手法で１つの出品情報を選択する、
ことを特徴とする。【００１１】
また、上記観点に係る販売支援サーバにおいて、
前記選択部は、前記検索された複数の出品情報の中から１つの出品情報を選択した後に、当該出品情報に示される商品、および、再検索を行うための予約時刻を含む予約情報を設定し、
前記検索部は、前記予約情報に含まれる予約時刻が到来すると、前記予約情報に含まれる商品の出品情報を、前記データベース群から再検索する、
ことを特徴とする。【００１２】
また、上記観点に係る販売支援サーバにおいて、
前記生成部が生成するカタログページは、新品市場の前記最安値詳細情報と中古市場およびオークション市場の前記最安値簡易情報とを含む第１のページと、各市場の前記最安値詳細情報を含む第２のページとを、タブ操作に応じて切り替え可能であり、
前記生成部は、
(c)前記判別部に判別された市場が新品市場である場合に、前記第１のページを初期状態としたカタログページを生成し、
(d)前記判別部に判別された市場が新品市場でない場合に、前記第２のページを初期状態としたカタログページを生成する、
ことを特徴とする。【００１３】
上記目的を達成するために、本発明の第２の観点に係るカタログページ提供方法は、
販売支援サーバが実行するカタログページ提供方法であって、
前記販売支援サーバが、新品市場、中古市場、および、オークション市場に出品されている商品を管理するデータベース群から、同一商品の出品情報を横断検索する検索ステップ、
前記販売支援サーバが、前記検索された出品情報の中から、各市場における最安値の出品情報をそれぞれ選択する選択ステップ、
前記販売支援サーバが、前記選択された出品情報を、商品を識別するための識別コードと対応付けて所定の記憶部に登録する登録ステップ、
前記販売支援サーバが、商品を指定して要求されたカタログページの閲覧要求を、端末から受け付ける受付ステップ、
前記販売支援サーバが、前記指定された商品について、各市場における最安値の出品情報を前記記憶部から読み出す読出ステップ、
前記販売支援サーバが、前記読み出された出品情報に従って、前記指定された商品における最安値の市場を判別する判別ステップ、
前記販売支援サーバが、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成ステップ、
前記販売支援サーバが、前記生成された前記カタログページを前記端末に提供する提供ステップ、
を備えることを特徴とする。【００１４】
上記目的を達成するために、本発明の第３の観点に係るコンピュータ読み取り可能な記録媒体は、
コンピュータを、
新品市場、中古市場、および、オークション市場に出品されている商品を管理するデータベース群から、同一商品の出品情報を横断検索する検索部、
前記検索された出品情報の中から、各市場における最安値の出品情報をそれぞれ選択する選択部、
前記選択された出品情報を、商品を識別するための識別コードと対応付けて記憶する記憶部、
商品を指定して要求されたカタログページの閲覧要求を、端末から受け付ける受付部、
前記指定された商品について、各市場における最安値の出品情報を前記記憶部から読み出す読出部、
前記読み出された出品情報に従って、前記指定された商品における最安値の市場を判別する判別部、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成部、
前記生成された前記カタログページを前記端末に提供する提供部、
として機能させることを特徴とするプログラムを記録する。【００１５】
上記記録媒体は、非一時的な（non-transitory）記録媒体であってよく、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。【００１６】
上記目的を達成するために、本発明の第４の観点に係るプログラムは、
コンピュータを、
新品市場、中古市場、および、オークション市場に出品されている商品を管理するデータベース群から、同一商品の出品情報を横断検索する検索部、
前記検索された出品情報の中から、各市場における最安値の出品情報をそれぞれ選択する選択部、
前記選択された出品情報を、商品を識別するための識別コードと対応付けて記憶する記憶部、
商品を指定して要求されたカタログページの閲覧要求を、端末から受け付ける受付部、
前記指定された商品について、各市場における最安値の出品情報を前記記憶部から読み出す読出部、
前記読み出された出品情報に従って、前記指定された商品における最安値の市場を判別する判別部、
(a)前記判別された市場が新品市場である場合に、前記読み出された新品市場の出品情報から少なくとも価格及び商品説明を抜き出した最安値詳細情報と、前記読み出された中古市場およびオークション市場の出品情報から少なくとも価格をそれぞれ抜き出した最安値簡易情報とを含むカタログページを生成し、
(b)前記判別された市場が新品市場でない場合に、前記読み出された各市場の出品情報から少なくとも価格及び商品説明をそれぞれ抜き出した最安値詳細情報を含むカタログページを生成する
生成部、
前記生成された前記カタログページを前記端末に提供する提供部、
として機能させることを特徴とする。【００１７】
上記プログラムは、当該プログラムが実行されるコンピュータとは独立して、コンピュータ通信網を介して配布・販売することができる。
【発明の効果】
【００１８】
本発明によれば、異なる市場の各出品ページから、同一商品の最安値情報を迅速に得ることができる。
【図面の簡単な説明】
【００１９】
【図１】本実施形態に係る販売支援システムの全体構成の一例を示すブロック図である。
【図２】販売支援サーバ、及び、ユーザ端末が実現される典型的な情報処理装置の概要構成の一例を示すブロック図である。
【図３】本実施形態に係る販売支援サーバの概要構成の一例を示すブロック図である。
【図４Ａ】商品カタログ情報の一例を説明するための模式図である。
【図４Ｂ】商品カタログ情報内における出品情報の具体例を説明するための模式図である。
【図５】カタログページの具体例を示す模式図である。
【図６】カタログページの他の具体例を示す模式図である。
【図７】本実施形態に係る全カタログ情報登録処理を説明するためのフローチャートである。
【図８】本実施形態に係るカタログページ生成処理を説明するためのフローチャートである。
【図９】本実施形態に係るカタログ情報更新処理を説明するためのフローチャートである。
【発明を実施するための形態】
【００２０】
以下に本発明の実施形態を説明する。本発明の実施形態では、多くの店舗（仮想店舗）が集まって構成される販売サイト（ショッピングモールサイト等）に好適な販売支援システムを一例として説明する。なお、販売サイトでは、一例として、新品市場、中古市場、及び、オークション市場が存在している場合について説明するが、他の市場を加えたり、一部の市場を省いた販売サイトにおいても適宜適用可能である。
また、以下の実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００２１】
（全体構成）
本発明の実施形態に係る販売支援システム１００は、図１に示すように、販売支援サーバ２００とデータベース群３００とが通信可能に接続されており、そして、販売支援サーバ２００と各ユーザ端末４００とがインターネット９００を介して通信可能に接続されて構成される。
なお、図中には示していないが、データベース群３００を用いて商品の出品や販売（落札等も含む）を管理する販売システムも別途存在しているものとする。また、図中では簡略化しているが、ユーザ端末４００は、利用するユーザに応じて、多数存在しているものとする。
【００２２】
販売支援サーバ２００は、例えば、サーバコンピュータ等からなり、商品の購入（落札等も含む）を検討するユーザのユーザ端末４００に、各市場（新品市場、中古市場、及び、オークション市場）における同一商品についての情報を提供する。
一例として、販売支援サーバ２００は、同一商品についてまとめたカタログページをユーザ端末４００に提供する。このカタログページとは、プロダクトページとも呼ばれ、商品（製品）についての製品情報（スペックや仕様等）や、各市場における最安値等をまとめて表示するためのＷｅｂページである。なお、カタログページの詳細については、後述する。
【００２３】
データベース群３００は、各市場に出品されている商品の情報を管理する複数のデータベースである。
データベース群３００は、一例として、新品市場データベース３０１と、中古市場データベース３０２と、オークション市場データベース３０３とを備えている。
【００２４】
新品市場データベース３０１は、新品の商品を出品する店舗の商品情報を管理する。また、中古市場データベース３０２は、中古の商品を出品する店舗の商品情報を管理する。そして、オークション市場データベース３０３は、オークションに商品を出品する店舗（個人の場合もあり）の商品情報を管理する。
これらの商品情報には、例えば、出品元の店舗名（個人の場合もあり）、商品の価格、及び、商品説明（商品の状態等）などが含まれている。
なお、データベース群３００の構成（新品市場データベース３０１、中古市場データベース３０２、及び、オークション市場データベース３０３）は一例であり、販売サイトの実情に応じて、適宜変更可能である。例えば、新品市場データベース３０１と中古市場データベース３０２とを１つのデータベースにまとめて管理してもよい。
【００２５】
ユーザ端末４００は、例えば、パソコンやスマートフォン等からなり、インターネット９００を介して販売支援サーバ２００にアクセスし、ユーザが購入（落札等も含む）を検討する商品に関する有益な情報を取得する。
一例として、ユーザ端末４００は、販売支援サーバ２００にアクセスし、各市場（新品市場、中古市場、及び、オークション市場）における同一商品についてまとめたカタログページを取得して、画面に表示する。なお、カタログページの詳細については、後述する。
【００２６】
（情報処理装置の概要構成）
本発明の実施形態に係る販売支援サーバ２００、及び、ユーザ端末４００が実現される典型的な情報処理装置５００について説明する。
【００２７】
情報処理装置５００は、図２に示すように、ＣＰＵ（Central Processing Unit）５０１と、ＲＯＭ（Read Only Memory）５０２と、ＲＡＭ（Random Access Memory）５０３と、ＮＩＣ（Network Interface Card）５０４と、画像処理部５０５と、音声処理部５０６と、ＤＶＤ−ＲＯＭ（Digital Versatile Disc ROM）ドライブ５０７と、インターフェース５０８と、外部メモリ５０９と、コントローラ５１０と、モニタ５１１と、スピーカ５１２と、を備える。
【００２８】
ＣＰＵ  ５０１は、情報処理装置５００全体の動作を制御し、各構成要素と接続され制御信号やデータをやりとりする。
【００２９】
ＲＯＭ  ５０２には、電源投入直後に実行されるＩＰＬ（Initial Program Loader）が記録され、これが実行されることにより、所定のプログラムをＲＡＭ  ５０３に読み出してＣＰＵ  ５０１による当該プログラムの実行が開始される。また、ＲＯＭ  ５０２には、情報処理装置５００全体の動作制御に必要なオペレーティングシステムのプログラムや各種のデータが記録される。
【００３０】
ＲＡＭ  ５０３は、データやプログラムを一時的に記憶するためのもので、ＤＶＤ−ＲＯＭから読み出したプログラムやデータ、その他、通信に必要なデータ等が保持される。
【００３１】
ＮＩＣ  ５０４は、情報処理装置５００をインターネット等のコンピュータ通信網に接続するためのものであり、ＬＡＮ（Local Area Network）を構成する際に用いられる１０ＢＡＳＥ−Ｔ／１００ＢＡＳＥ−Ｔ規格にしたがうものや、電話回線を用いてインターネットに接続するためのアナログモデム、ＩＳＤＮ（Integrated Services Digital Network）モデム、ＡＤＳＬ（Asymmetric Digital Subscriber Line）モデム、ケーブルテレビジョン回線を用いてインターネットに接続するためのケーブルモデム等と、これらとＣＰＵ  ５０１との仲立ちを行うインターフェース（図示せず）等により構成される。
【００３２】
画像処理部５０５は、ＤＶＤ−ＲＯＭ等から読み出されたデータをＣＰＵ  ５０１や画像処理部５０５が備える画像演算プロセッサ（図示せず）によって加工処理した後、これを画像処理部５０５が備えるフレームメモリ（図示せず）に記録する。フレームメモリに記録された画像情報は、所定の同期タイミングでビデオ信号に変換され、モニタ５１１に出力される。これにより、各種のページ表示が可能となる。
【００３３】
音声処理部５０６は、ＤＶＤ−ＲＯＭ等から読み出した音声データをアナログ音声信号に変換し、これに接続されたスピーカ５１２から出力させる。また、ＣＰＵ  ５０１の制御の下、情報処理装置５００が行う処理の進行の中で発生させるべき音を生成し、これに対応した音声をスピーカ５１２から出力させる。
【００３４】
ＤＶＤ−ＲＯＭドライブ５０７に装着されるＤＶＤ−ＲＯＭには、例えば、実施形態に係る販売支援サーバ２００等を実現するためのプログラムが記憶される。ＣＰＵ  ５０１の制御によって、ＤＶＤ−ＲＯＭドライブ５０７は、これに装着されたＤＶＤ−ＲＯＭに対する読み出し処理を行って、必要なプログラムやデータを読み出し、これらはＲＡＭ  ５０３等に一時的に記憶される。
【００３５】
インターフェース５０８には、外部メモリ５０９、コントローラ５１０、モニタ５１１、及びスピーカ５１２が、着脱可能に接続される。
【００３６】
外部メモリ５０９には、ユーザの個人情報に関するデータなどが書き換え可能に記憶される。
【００３７】
コントローラ５１０は、情報処理装置５００の各種の設定時などに行われる操作入力を受け付ける。情報処理装置５００のユーザは、コントローラ５１０を介して指示入力を行うことにより、これらのデータを適宜外部メモリ５０９に記録することができる。
【００３８】
モニタ５１１は、画像処理部５０５により出力されたデータを情報処理装置５００のユーザに提示する。
【００３９】
スピーカ５１２は、音声処理部５０６により出力された音声データを情報処理装置５００のユーザに提示する。
【００４０】
この他、情報処理装置５００は、ハードディスク等の大容量外部記憶装置を用いて、ＲＯＭ ５０２、ＲＡＭ ５０３、外部メモリ５０９、ＤＶＤ−ＲＯＭドライブ５０７に装着されるＤＶＤ−ＲＯＭ等と同じ機能を果たすように構成してもよい。
【００４１】
以下、上記情報処理装置５００において実現される販売支援サーバ２００の構成等について、図３〜図６を参照して説明する。情報処理装置５００に電源が投入されると、本実施形態に係る販売支援サーバ２００として機能させるそれぞれのプログラムが実行され、本実施形態に係る販売支援サーバ２００が実現される。
なお、ユーザ端末４００も同様に情報処理装置５００において実現されるが、これらの構成については省略し、本実施形態において最も特徴的な販売支援サーバ２００について、以下説明する。
【００４２】
（販売支援サーバの概要構成）
図３は、本実施形態に係る販売支援サーバ２００の概要構成の一例を示すブロック図である。図示するように、販売支援サーバ２００は、受付部２１０と、カタログ情報記憶部２２０と、制御部２３０と、提供部２４０とを備える。
【００４３】
受付部２１０は、インターネット９００を介して各ユーザ端末４００から送られる種々の情報を受け付ける。
例えば、受付部２１０は、商品を指定したカタログページへの遷移指示（一例として、ユーザによるマウスのクリック操作等）を、ユーザ端末４００から受け付ける。この他にも受付部２１０は、カタログページに含まれる後述するタブ操作などもユーザ端末４００から受け付ける。
上述したＮＩＣ  ５０４等が、このような受付部２１０として機能しうる。
【００４４】
カタログ情報記憶部２２０は、各市場（新品市場、中古市場、及び、オークション市場）の同一商品についてまとめたカタログ情報を記憶する。
例えば、カタログ情報記憶部２２０は、図４Ａに示すような構成のカタログ情報２２１を記憶する。このカタログ情報２２１には、一例として、製品コード２２２、製品情報２２３、及び、出品情報２２４が含まれている。
【００４５】
製品コード２２２は、商品の製造元や販売元などで採番された、例えば、ＪＡＮ（Japan Article Number）コードや、ＩＳＢＮ（International Standard Book Number）コードなどである。
製品情報２２３は、商品（製品）のスペックや仕様等の情報などである。この製品情報２２３は、例えば、製造元や販売元などから得た情報である。なお、製造元や販売元などから情報が得られない場合には、何れかの市場（例えば、新品市場）の商品の商品情報から、適宜得た情報としてもよい。
【００４６】
出品情報２２４は、ある市場に出品された同一商品の情報をまとめた情報である。一例として、出品情報２２４には、市場区分２２５、出品数２２６、及び、最安値情報２２７が含まれている。この出品情報２２４の具体例を図４Ｂに示す。
【００４７】
市場区分２２５は、新品市場、中古市場、又は、オークション市場の何れかを示す数値等である。なお、図４Ｂにおいて、市場区分２２５が文字列で示されているが、説明を分かり易くするためであり、実際には、それぞれの市場を示す数値等が記憶される。
出品数２２６は、その市場で出品されている商品の数を示している。
【００４８】
最安値情報２２７は、その市場における同一商品の最安値の情報である。一例として、最安値情報２２７には、ショップ名２２７ａ、価格２２７ｂ、商品説明２２７ｃ、及び、リンク情報２２７ｄが含まれている。
【００４９】
ショップ名２２７ａは、最安値（ある市場における最安値）の商品を出品している店舗の名称である。オークション市場のように、個人が出品している場合には、個人を示す名称（一例として、ニックネームやＩＤ等）となる。なお、ショップ名２２７ａの代わりに、もしくは、ショップ名２２７ａに加えて、ショップＩＤなどの識別情報を用いてもよい。
価格２２７ｂは、最安値の商品の価格を示している。なお、価格２２７ｂには、送料を含むか否かなどの情報も含まれていてもよい。
【００５０】
商品説明は２２７ｃは、最安値の商品を出品している店舗が独自に作成した商品についての説明や、送料等の説明を示す。
リンク情報２２７ｄは、最安値の商品の出品ページへ遷移するためのアドレス（ＵＲＬ）などを示す。なお、リンク情報２２７ｄは、アドレス（ＵＲＬ）に限られず、出品ページへ遷移するための情報であれば他の情報であってもよい。例えば、リンク情報２２７ｄは、製品コードと店舗コードと商品コード（店舗内のコード）とを含んで生成された識別情報等であってもよい。
【００５１】
この他にもカタログ情報記憶部２２０は、カテゴリ（ジャンル）に分けられた各商品の一覧情報等も記憶する。
上述したＲＡＭ  ５０３や外部メモリ５０９等が、このようなカタログ情報記憶部２２０として機能しうる。
【００５２】
図３に戻って、制御部２３０は、販売支援サーバ２００全体を制御する。この制御部２３０は、検索部２３１、選択部２３２、登録部２３３、検出部２３４、読出部２３５、判別部２３６、及び、生成部２３７を含んでおり、ユーザによる商品の購入等を支援する。
【００５３】
検索部２３１は、データベース群３００（新品市場データベース３０１、中古市場データベース３０２、及び、オークション市場データベース３０３）から、同一商品の出品情報（出品されている商品情報）を横断検索する。
例えば、検索部２３１は、毎日、定められた時刻（例えば、深夜等）に、カタログ化された全商品のそれぞれについて、データベース群３００から出品情報を横断検索する。
また、検索部２３１は、後述する検出部２３４がデータベース群３００における出品情報の変更を検出すると、変更を検出した出品情報に示される同一商品について、データベース群３００から出品情報を横断検索する。
【００５４】
選択部２３２は、検索部２３１によって検索された出品情報の中から、各市場における最安値の出品情報をそれぞれ選択する。
例えば、選択部２３２は、検索部２３１が新品市場データベース３０１から検索した出品情報の中から価格の情報を抽出してそれぞれ比較し、最も価格の低い（安い）出品情報を、新品市場における最安値情報として選択する。なお、最も価格の低い出品情報が複数検索された場合には、一例として、ランダムに１つの最安値情報を選択する。なお、１つの最安値情報を選択する選択手法は任意であり、他の手法を用いてもよい。
同様に、選択部２３２は、検索部２３１が中古市場データベース３０２から検索した出品情報の中から、中古市場における最安値情報を選択する。更に、選択部２３２は、検索部２３１がオークション市場データベース３０３から検索した出品情報の中から、オークション市場における最安値情報を選択する。
【００５５】
登録部２３３は、検索部２３１によって検索された出品情報を市場毎に集計した出品数や、選択部２３２によって選択された最安値情報（最安値の出品情報）などを、その商品の製品コードと対応付けてカタログ情報記憶部２２０に登録する。
すなわち、登録部２３３は、上述した図４Ｂに示すような各市場における最安値の出品情報２２４を、上述した図４Ａに示すように、製品コード２２２に対応付けてカタログ情報記憶部２２０に登録する。
【００５６】
検出部２３４は、各市場にて、販売成立（落札成立等も含む）、出品中止、および、新規出品などのトリガ要件の発生に伴い、データベース群３００における出品情報の更新を検出する。
例えば、検出部２３４は、図示せぬ販売システムから、販売成立時、出品中止時、および、新規出品時に送られるデータに基づいて、データベース群３００における出品情報の更新を検出する。
この他にも、検出部２３４は、データベース群３００を常時監視するようにし、トリガ要件に合致する出品情報の更新を検出するようにしてもよい。
【００５７】
読出部２３５は、受付部２１０が、ユーザ端末４００から商品を指定したカタログページへの遷移指示（一例として、ユーザによるマウスのクリック操作等）を受け付けると、カタログ情報記憶部２２０から、指定された商品についての必要な情報を読み出す。
例えば、読出部２３５は、上述した図４Ａのカタログ情報２２１から、指定された商品の製品コード２２２に合致する出品情報２２４を読み出す。すなわち、読出部２３５は、上述した図４Ｂに示すような市場区分２２５、出品数２２６、及び、最安値情報２２７からなる、各市場における出品情報２２４を、カタログ情報記憶部２２０から読み出す。
【００５８】
判別部２３６は、読出部２３５によって読み出された出品情報に従って、ユーザに指定された商品について最安値の市場を判別する。
具体的に、上述した図４Ｂに示すような出品情報２２４が読み出されている場合、判別部２３６は、各市場の最安値情報２２７におけるそれぞれの価格（新品市場：13,800円，中古市場：14,780円，オークション市場：14,500円）を比較し、その商品について、新品市場が最安値の市場であると判別する。
【００５９】
生成部２３７は、各市場における同一商品についてまとめたカタログページを生成する。
例えば、判別部２３６によって最安値と判別された市場が新品市場である場合に、生成部２３７は、読み出された新品市場の出品情報から少なくとも価格及び商品説明を抜き出して最安値詳細情報を得る。また、生成部２３７は、読み出された中古市場およびオークション市場の出品情報から少なくとも価格をそれぞれ抜き出した最安値簡易情報を得る。そして、生成部２３７は、このような新品市場の最安値詳細情報と、中古市場およびオークション市場の最安値簡易情報を含んだカタログページを生成する。
【００６０】
具体的に、生成部２３７は、図５に示すようなカタログページ６００を生成する。このカタログページ６００には、新品市場の最安値詳細情報６０１と、中古市場およびオークション市場の最安値簡易情報６０２と、タブ６０３とが含まれている。
このタブ６０３は、カタログページ６００における各市場（「すべての市場」も含む）の表示を切り替えるためのタブであり、カタログページ６００がユーザ端末４００に表示された際に、ユーザによって任意に選択（クリック等）することができるようになっている。
なお、図５に示すカタログページ６００では、商品（この例の場合、タブレット端末）の最安値の市場が新品市場であるため、新品市場についてのタブ６０３が初期状態として選ばれて、新品市場の最安値詳細情報６０１が表示されている。
【００６１】
一方、判別部２３６によって最安値と判別された市場が新品市場でない場合に、生成部２３７は、読み出された各市場の出品情報から少なくとも価格及び商品説明をそれぞれ抜き出して最安値詳細情報を得る。そして、生成部２３７は、このような各市場の最安値詳細情報を含んだカタログページを生成する。
【００６２】
具体的に、生成部２３７は、図６に示すようなカタログページ６１０を生成する。このカタログページ６１０には、新品市場の最安値詳細情報６１１と、中古市場の最安値詳細情報６１２と、オークション市場の最安値詳細情報６１３と、タブ６１４とが含まれている。
なお、図６に示すカタログページ６１０では、商品（この例の場合、液晶テレビ）の最安値の市場が中古市場であるため（新品市場でないため）、すべての市場についてのタブ６１４が初期状態として選ばれて、各市場の最安値詳細情報６１１〜６１３が表示されている。
【００６３】
図３に戻って、制御部２３０は、この他にも、ユーザ端末４００からの要求に従って、カタログページ以外のＷｅｂページを適宜生成する。
上述したＣＰＵ  ５０１等が、このような構成からなる制御部２３０として機能しうる。
【００６４】
提供部２４０は、インターネット９００を介してユーザ端末４００に種々の情報を提供する。
例えば、提供部２４０は、上述した図５に示すカタログページ６００や、上述した図６に示すカタログページ６１０などを、ユーザ端末４００に提供する。
上述したＣＰＵ  ５０１及びＮＩＣ  ５０４等が、このような提供部２４０として機能しうる。
【００６５】
（販売支援サーバの動作）
以下、このような構成の販売支援サーバ２００の動作について図７〜図９を参照して説明する。図７は、本実施形態に係る全カタログ情報登録処理の流れを示すフローチャートである。図８は、本実施形態に係るカタログページ生成処理の流れを示すフローチャートである。図９は、本実施形態に係るカタログ情報更新処理の流れを示すフローチャートである。
【００６６】
最初に、図７に示す全カタログ情報登録処理について説明する。この全カタログ情報登録処理は、例えば、毎日、定められた時刻（一例として、深夜等）に実行される。なお、カタログ情報を生成する各商品については、カタログ化対象商品として、予め定められているものとする。
【００６７】
まず、販売支援サーバ２００は、カタログ化対象となるｎ番目の商品を特定する（ステップＳ１１）。
例えば、制御部２３０は、カタログ化の対象商品として予め定められている商品のデータの中から、１つの商品を特定する。
【００６８】
販売支援サーバ２００は、特定した商品の出品情報をデータベース群３００から横断検索する（ステップＳ１２）。
すなわち、検索部２３１は、新品市場データベース３０１、中古市場データベース３０２、及び、オークション市場データベース３０３から、特定された商品と同一商品の出品情報（出品されている商品情報）を横断検索する。
【００６９】
販売支援サーバ２００は、各市場における最安値の出品情報を選択する（ステップＳ１３）。
すなわち、選択部２３２は、検索された出品情報の中から、各市場における最安値の出品情報をそれぞれ選択する。
例えば、選択部２３２は、検索部２３１が新品市場データベース３０１から検索した出品情報の中から価格の情報を抽出してそれぞれ比較し、最も価格の低い（安い）出品情報を、新品市場における最安値情報として選択する。なお、最も価格の低い出品情報が複数検索された場合には、一例として、ランダムに１つの最安値情報を選択する。なお、１つの最安値情報を選択する選択手法は任意であり、他の手法を用いてもよい。
同様に、選択部２３２は、検索部２３１が中古市場データベース３０２から検索した出品情報の中から、中古市場における最安値情報を選択する。更に、選択部２３２は、検索部２３１がオークション市場データベース３０３から検索した出品情報の中から、オークション市場における最安値情報を選択する。
【００７０】
販売支援サーバ２００は、商品のカタログ情報をカタログ情報記憶部２２０に登録する（ステップＳ１４）。
すなわち、登録部２３３は、検索された商品の出品情報を市場毎に集計した出品数や、選択部２３２によって選択された最安値情報（最安値の出品情報）などを、その商品の製品コードと対応付けてカタログ情報記憶部２２０に登録する。
具体的に、登録部２３３は、上述した図４Ｂに示すような各市場における最安値の出品情報２２４を、上述した図４Ａに示すように、製品コード２２２に対応付けてカタログ情報記憶部２２０に登録する。
【００７１】
販売支援サーバ２００は、全商品について処理が完了したか否かを判別する（ステップＳ１５）。
販売支援サーバ２００は、全商品について処理が完了していないと判別すると（ステップＳ１５；Ｎｏ）、上述したステップＳ１１に処理を戻す。
一方、全商品について処理が完了したと判別すると（ステップＳ１５；Ｙｅｓ）、販売支援サーバ２００は、全カタログ情報登録処理を終える。
【００７２】
次に、図８に示すカタログページ生成処理について説明する。このカタログページ生成処理は、例えば、ユーザ端末４００から商品を指定したカタログページへの遷移指示（一例として、ユーザによるマウスのクリック操作等）を受付部２１０が受け付けた際に開始される。
なお、上述した全カタログ情報登録処理によって、カタログ情報記憶部２２０には、各商品のカタログ情報が登録されているものとする。
【００７３】
まず、販売支援サーバ２００は、指定された商品についての情報をカタログ情報記憶部２２０から読み出す（ステップＳ２１）。
例えば、読出部２３５は、上述した図４Ａのカタログ情報２２１から、ユーザによって指定された商品の製品コード２２２に合致する出品情報２２４を読み出す。すなわち、読出部２３５は、上述した図４Ｂに示すような市場区分２２５、出品数２２６、及び、最安値情報２２７からなる、各市場における出品情報２２４を、カタログ情報記憶部２２０から読み出す。
【００７４】
販売支援サーバ２００は、指定された商品についての最安値の市場が新品市場であるか否かを判別する（ステップＳ２２）。
すなわち、判別部２３６は、読出部２３５によって読み出された出品情報に従って、ユーザに指定された商品について最安値の市場を判別する。
具体的に、上述した図４Ｂに示すような出品情報２２４が読み出されている場合、判別部２３６は、各市場の最安値情報２２７におけるそれぞれの価格（新品市場：13,800円，中古市場：14,780円，オークション市場：14,500円）を比較し、その商品について、新品市場が最安値の市場であると判別する。
【００７５】
販売支援サーバ２００は、最安値の市場が新品市場であると判別すると（ステップＳ２２；Ｙｅｓ）、新品市場の最安値詳細情報と、中古市場及びオークション市場の最安値簡易情報とを含んだカタログページを生成する（ステップＳ２３）。
すなわち、生成部２３７は、読み出された新品市場の出品情報から少なくとも価格及び商品説明を抜き出して最安値詳細情報を得る。また、生成部２３７は、読み出された中古市場およびオークション市場の出品情報から少なくとも価格をそれぞれ抜き出した最安値簡易情報を得る。そして、生成部２３７は、このような新品市場の最安値詳細情報と、中古市場およびオークション市場の最安値簡易情報を含んだカタログページを生成する。
具体的に、生成部２３７は、上述した図５に示すような、新品市場の最安値詳細情報６０１と、中古市場およびオークション市場の最安値簡易情報６０２とを含んだカタログページ６００を生成する。
【００７６】
一方、最安値の市場が新品市場でないと判別すると（ステップＳ２２；Ｎｏ）、販売支援サーバ２００は、各市場の最安値詳細情報を含んだカタログページを生成する（ステップＳ２４）。
すなわち、生成部２３７は、読み出された各市場の出品情報から少なくとも価格及び商品説明をそれぞれ抜き出して最安値詳細情報を得る。そして、生成部２３７は、このような各市場の最安値詳細情報を含んだカタログページを生成する。
具体的に、生成部２３７は、上述した図６に示すような、新品市場の最安値詳細情報６１１と、中古市場の最安値詳細情報６１２と、オークション市場の最安値詳細情報６１３とを含んだカタログページ６１０を生成する。
【００７７】
販売支援サーバ２００は、生成したカタログページをユーザ端末４００に提供する（ステップＳ２５）。
すなわち、提供部２４０は、上述した図５に示すカタログページ６００や、上述した図６に示すカタログページ６１０を、ユーザ端末４００に提供する。
【００７８】
このようなカタログページ生成処理では、カタログ情報記憶部２２０に記憶した情報を基に、カタログページを生成するため、ユーザは、異なる市場の各出品ページから、同一商品の最安値情報を迅速に得ることができる。
また、このようなカタログページ生成処理では、商品についての最安値の市場が新品市場であるか否かに応じて、異なるカタログページを生成するため、ユーザにとってより分かり易いカタログページを提供することができる。
【００７９】
次に、図９に示すカタログ情報更新処理について説明する。このカタログ情報更新処理は、例えば、検出部２３４によって、データベース群３００における出品情報の更新が検出された際に開始される。つまり、各市場にて、販売成立（落札成立等も含む）、出品中止、および、新規出品などのトリガ要件の発生に伴い、検出部２３４がデータベース群３００における出品情報の更新を検出した際に開始される。
なお、上述した全カタログ情報登録処理によって、カタログ情報記憶部２２０には、各商品のカタログ情報が既に登録されているものとする。
【００８０】
まず、販売支援サーバ２００は、更新された出品情報の商品を特定する（ステップＳ３１）。
例えば、検出部２３４は、図示せぬ販売システムから、販売成立時、出品中止時、および、新規出品時に送られるデータに基づいて、更新された出品情報の商品を特定する。
【００８１】
販売支援サーバ２００は、特定した商品の出品情報をデータベース群３００から横断検索する（ステップＳ３２）。
すなわち、検索部２３１は、新品市場データベース３０１、中古市場データベース３０２、及び、オークション市場データベース３０３から、特定された商品と同一商品の出品情報を横断検索する。
【００８２】
販売支援サーバ２００は、各市場における最安値の出品情報を選択する（ステップＳ３３）。
すなわち、選択部２３２は、検索された出品情報の中から、各市場における最安値の出品情報をそれぞれ選択する。
【００８３】
販売支援サーバ２００は、商品のカタログ情報を更新してカタログ情報記憶部２２０に登録する（ステップＳ３４）。
すなわち、登録部２３３は、検索された商品の出品情報を市場毎に集計した出品数や、選択部２３２によって選択された最安値情報（最安値の出品情報）などを、その商品の製品コードと対応付けてカタログ情報記憶部２２０に再登録する。
【００８４】
このようなカタログ情報更新処理によって、何れかの市場である商品について、販売成立（落札成立等も含む）、出品中止、および、新規出品などが発生すると、すぐさま、データベース群３００から同一商品の出品情報が再検索されて、カタログ情報記憶部２２０（対応するカタログ情報）が更新される。
このため、ユーザ端末４００からその商品を指定したカタログページへの遷移指示があった場合でも、最新の情報からカタログページを生成して提供することができる。
【００８５】
（他の実施形態）
上記の実施形態では、検出部２３４がデータベース群３００における出品情報の更新を検出した際に、出品情報を再検索する場合について説明したが、このような出品情報の更新に限られずに、データベース群３００から出品情報を再検索するようにしてもよい。
例えば、データベース群３００から、同じ市場において、最も価格の低い出品情報が複数検索された場合に、所定時間が経過した後に、出品情報を再検索するようにしてもよい。
具体的に、選択部２３２は、最も価格の低い出品情報が複数検索された場合に、それらの出品情報の中から１つの出品情報を選択した後に、出品情報に示される商品、および、再検索を行うための予約時刻を含む予約情報を設定する。
そして、検索部２３１は、予約情報の予約時刻が経過すると、予約情報の商品について、データベース群３００から出品情報を再検索する。
なお、再検索後には、選択部２３２は、前回選択した出品情報を除いた出品情報の中から１つの出品情報を選択するようにしてもよい。
【００８６】
上記の実施形態では、商品の販売サイトに好適な販売支援システムを一例として説明したが、このような商品以外にも、保険等のサービスの販売サイト等にも適宜適用可能である。
【産業上の利用可能性】
【００８７】
以上説明したように、本発明によれば、異なる市場の各出品ページから、同一商品の最安値情報を迅速に得ることのできる販売支援サーバ、カタログページ提供方法、記録媒体、および、プログラムを提供することができる。
【符号の説明】
【００８８】
１００  販売支援システム
２００  販売支援サーバ
２１０  受付部
２２０  カタログ情報記憶部
２３０  制御部
２３１  検索部
２３２  選択部
２３３  登録部
２３４  検出部
２３５  読出部
２３６  判別部
２３７  生成部
２４０  提供部
３００  データベース群
３０１  新品市場データベース
３０２  中古市場データベース
３０３  オークション市場データベース
４００  ユーザ端末
５００  情報処理装置
５０１  ＣＰＵ
５０２  ＲＯＭ
５０３  ＲＡＭ
５０４  ＮＩＣ
５０５  画像処理部
５０６  音声処理部
５０７  ＤＶＤ−ＲＯＭドライブ
５０８  インターフェース
５０９  外部メモリ
５１０  コントローラ
５１１  モニタ
５１２  スピーカ
９００  インターネット
【要約】
検索部（231）は、データベース群から、同一商品の出品情報を横断検索する。選択部（232）は、検索された中から、各市場における最安値の出品情報をそれぞれ選択する。商品カタログ記憶部（220）には、選択された出品情報が登録される。読出部（235）は、端末から指定された商品についての出品情報を商品カタログ記憶部（220）から読み出す。判別部（236）は、読み出された出品情報に従って、指定された商品における最安値の市場を判別する。生成部（237）は、指定された商品についての最安値の市場が新品市場である場合に、新品市場の最安値詳細情報と中古市場およびオークション市場の最安値簡易情報とを含むカタログページを生成し、一方、最安値の市場が新品市場でない場合に、各市場の最安値詳細情報を含むカタログページを生成する。提供部（240）は、生成されたカタログページを端末に提供する。【図１】
0005748383.tif 000002
【図２】
0005748383.tif 000003
【図３】
0005748383.tif 000004
【図４Ａ】
0005748383.tif 000005
【図４Ｂ】
0005748383.tif 000006
【図５】
0005748383.tif 000007
【図６】
0005748383.tif 000008
【図７】
0005748383.tif 000009
【図８】
0005748383.tif 000010
【図９】
0005748383.tif 000011